(57)【要約】【課題】  内装材の数量を正確且つ容易に計算・集計できる内装数量計算システム。【解決手段】建物に関する図面中の壁、天井に用いる内装材の数量を計算し集計する内装数量計算システムにおいて、設計図面に各室の壁及び天井のそれぞれのサイズ並びに仕上げに関する室名符号を設定し記録する属性付き室名符号設定手段１１と、開口部のサイズ並びに仕上げに関する開口符号を設定し記録する属性付き開口符号設定手段１３と、設計図面に関する初期情報を記録する初期情報記録手段１５と、壁種別情報を記録する壁種別情報記録手段１７と、壁面積を計算し記録する壁面積計算記録手段１９と、天井種別情報を記録する天井種別情報記録手段２１と、天井面積を計算し記録する天井面積計算記録手段２３と、壁面積計算記録手段１９が計算した壁面積、天井面積計算記録手段２３が計算した天井面積を集計し、計算書と集計表を記録する計算書及び集計表作成手段２５とからなる。【選択図】  図３０
2006172022.tif 000002
【特許請求の範囲】
【請求項１】
建物に関する図面中の壁及び天井に用いる内装材の数量を計算し集計する内装数量計算システムにおいて、
数量計算の対象である図面に、各室の壁及び天井のそれぞれのサイズ並びに仕上げに関する独自の属性付き室名符号を設定し記録する属性付き室名符号設定手段（１１）と、
数量計算の対象である図面中に、各室の入口、窓等の開口部のサイズ並びに仕上げに関する独自の属性付き開口符号を設定し記録する属性付き開口符号設定手段（１３）と、
数量計算の対象である図面に関する初期情報を記録する初期情報記録手段（１５）と、
壁の下地種別及び／又は壁の仕上げ種別である壁種別情報を記録する壁種別情報記録手段（１７）と、
壁種別が適用される壁部分ごとの壁面積を計算し記録する壁面積計算記録手段（１９）と、
天井の下地種別及び／又は天井の仕上げ種別である天井種別情報を記録する天井種別情報記録手段（２１）と、
天井種別が適用される天井部分ごとの天井面積を計算し記録する天井面積計算記録手段（２３）と、
壁面積計算記録手段（１９）が計算した壁面積、天井面積計算記録手段（２３）が計算した天井面積を集計し、計算書と集計表を含むファイルを作成し集計して記録する計算書及び集計表作成手段（２５）とからなることを特徴とする内装数量計算システム。
【請求項２】
初期情報記録手段（１５）に初期情報が記録された際、前記初期情報の中から工事名称を抽出し、前記工事名称を冠した工事名フォルダを設定する工事名フォルダ設定手段（２７）を更に備えることを特徴とする請求項１記載の内装数量計算システム。
【請求項３】
対象である図面の任意の部位の画層の色を設定又は変更する画層色設定変更手段（２９）を更に備えることを特徴とする請求項１又は２記載の内装数量計算システム。
【請求項４】
壁面積計算記録手段（１９）は、初期情報記録手段（１５）、属性付き室名符号設定手段（１１）、壁種別情報記録手段（１７）及び属性付き開口符号設定手段（１３）に記録された初期情報、属性付き室名符号に関する情報、壁種別情報及び属性付き開口符号に関する情報を基にして壁面積の計算を行う請求項１〜３のいずれかに記載の内装数量計算システム。
【請求項５】
天井面積計算記録手段（２３）は、初期情報記録手段（１５）、属性付き室名符号設定手段（１１）及び天井種別情報記録手段（２１）に記録された初期情報、属性付き室名符号に関する情報、及び天井種別情報に関する情報を基にして天井面積の計算を行う請求項１〜４のいずれかに記載の内装数量計算システム。
【発明の詳細な説明】
【技術分野】
【０００１】
本発明は内装材の数量を正確且つ容易に計算し集計することができる内装数量計算システムに関するものである。
【背景技術】
【０００２】
一般に内装材の数量を算出するには、手書きにより作成された図面またはＣＡＤ上で作成された図面を用い、はじめに内装材を種別ごとに区分けし、その区分けされた内装材の数量算出に必要な数値や材料の名称、サイズを手作業で汎用表計算ソフトに入力して計算書を作成し、その計算書を元に集計表を作成していた。そのため、入力や集計に要する多大な労力と費用を要していた。更に、手作業での拾い違いや入力ミスの可能性もあった。
【発明の開示】
【発明が解決しようとする課題】
【０００３】
本発明は、従来の問題点を解決し、内装材の数量を正確且つ容易に計算し集計することができる内装数量計算システムを提供することを目的とする。
【課題を解決するための手段】
【０００４】
本発明者らは、図面上の壁や天井の数量情報に属性を付すととともに、ユーザーの指定する情報を総合して計算書や集計表を作成することにより、作業の省力化と時間の短縮か、そして正確な数量算出が可能となることを見出し、本発明に到達した。
【０００５】
即ち、請求項１に記載の内装数量計算システムは、建物に関する図面中の壁及び天井に用いる内装材の数量を計算し集計する内装数量計算システムにおいて、数量計算の対象である図面に、各室の壁及び天井のそれぞれのサイズ並びに仕上げに関する独自の属性付き室名符号を設定し記録する属性付き室名符号設定手段と、数量計算の対象である図面に、各室の入口、窓等の開口部のサイズ並びに仕上げに関する独自の属性付き開口符号を設定し記録する属性付き開口符号設定手段と、数量計算の対象である図面に関する初期情報を記録する初期情報記録手段と、壁の下地種別及び／又は壁の仕上げ種別である壁種別情報を記録する壁種別情報記録手段と、壁種別が適用される壁部分ごとの壁面積を計算し記録する壁面積計算記録手段と、天井の下地種別及び／又は天井の仕上げ種別である天井種別情報を記録する天井種別情報記録手段と、天井種別が適用される天井部分ごとの天井面積を計算し記録する天井面積計算記録手段と、壁面積計算記録手段が計算した壁面積、天井面積計算記録手段が計算した天井面積を集計し、計算書と集計表を含むファイルを作成し集計して記録する計算書及び集計表作成手段とからなることを特徴とする。
【０００６】
請求項２に記載の内装数量計算システムは、初期情報記録手段に初期情報が記録された際、前記初期情報の中から工事名称を抽出し、前記工事名称を冠した工事名フォルダを設定する工事名フォルダ設定手段を更に備えることを特徴とする。
請求項３に記載の内装数量計算システムは、対象である図面の任意の部位の画層の色を設定又は変更する画層色設定変更手段を更に備えることを特徴とする。
請求項４に記載の内装数量計算システムは、壁面積計算記録手段は、初期情報記録手段、属性付き室名符号設定手段、壁種別情報記録手段及び属性付き開口符号設定手段に記録された初期情報、属性付き室名符号に関する情報、壁種別情報及び属性付き開口符号に関する情報を基にして壁面積の計算を行うものであることを特徴とする。
請求項５に記載の内装数量計算システムは、天井面積計算記録手段は、初期情報記録手段、属性付き室名符号設定手段及び天井種別情報記録手段に記録された初期情報、属性付き室名符号に関する情報、及び天井種別情報に関する情報を基にして天井面積の計算を行うものであることを特徴とする。
【発明の効果】
【０００７】
本発明の内装数量計算システムによれば、建物に関する図面における数量算出において、作業の省力化と時間の短縮化、そして正確な数量算出が可能となる。
また、本発明の内装数量計算システムは、ＣＡＤ上で作成された図面から、壁、天井の面積情報を正確に抽出し、表計算ソフトなどと連携させることにより、計算書、集計表、フロア別集計表などの作成作業において、従来の工程に比較し大幅に短縮できる。
【発明を実施するための最良の形態】
【０００８】
本発明の内装数量計算システムは、建物に関する図面中の壁及び天井に用いる内装材の数量を計算し集計するシステムである。
本発明の内装数量計算システムは、図１に示すように、属性付き室名符号設定手段１１と、属性付き開口符号設定手段１３と、初期情報記録手段１５と、壁種別情報記録手段１７と、壁面積計算記録手段１９と、天井種別情報記録手段２１と、天井面積計算記録手段２３と、計算書及び集計表作成手段２５とからなるものである。ここで、システムを円滑に進めるために、工事名フォルダ設定手段２７を設定することが好ましく、更に、ユーザーの好みに合わせた画層色を選択可能とするために画層色設定変更手段２９を設けることができる。
【０００９】
本発明の内装数量計算システムにおいて、数量計算の対象である建物に関する図面としては、設計図面や施工図などのＣＡＤソフトにて作成された図面全般を挙げることができる。
また、本発明のシステムが稼動している際に、図面もユーザーのディスプレイに同時に表示可能とすることにより、ユーザーが後述する内装数量計算のための属性、初期設定、壁種別、天井種別、壁面積、天井面積等の一連の指定、変更、削除を容易に行うことができると共に本システムにおいて迅速且つ正確に記録や計算を行うことができるように、図２に示すようにＣＡＤソフトとリンクしたシステムとする。
【００１０】
属性付き室名符号設定手段１１は、数量計算の対象である図面に独自の属性付き室名符号を設定し記録する。ここで、独自の属性付き室名符号とは、対象である図面上の各室の壁及び天井のそれぞれのサイズ並びに仕上げに関する情報（属性値）を意味する。特に、図３左に示すように、天井高さ及び床レベルを含む室名３ａ、スラブ〜スラブ高３ｂ及び天井高３ｃが少なくとも含まれる。属性付き室名符号名は、本実施形態においては、ｓｉｔｕｍｅｉｈｕｇｏｕ（３ｄ）とする。
【００１１】
属性付き開口符号設定手段１３は、数量計算の対象である図面に独自の属性付き開口符号を設定し記録する。ここで、独自の属性付き開口符号とは、対象である図面上の各室の入口、窓等の開口部のサイズ並びに仕上げに関する情報（属性値）を意味する。特に、図３右に示すように、開口Ｈ寸法及びＦＬからの開口下端レベルを意味する符号３ｅ、補強本数３ｆ、Ｗ寸法３ｇ及びＨ寸法３ｈが少なくとも含まれる。属性付き開口符号名３ｉは、本実施形態においては、ｋａｉｋｏｕｈｕｇｏｕ（３ｈ）とする。
【００１２】
初期情報記録手段１５は、数量計算の対象である図面に関する初期情報を記録する。初期情報とは、工事名称、表紙サブタイトル、初期値設定（タイプ、箇所及びフロアに関するもの）などを意味する。初期情報は、ユーザーが本システムを利用する際適宜設定するものであるが、初期情報記録手段１５は、以前記録された初期情報も記録して、前記情報をユーザーが選択可能に表示する機能を備えるものとする。
【００１３】
初期情報記録手段１５は、これらの初期情報の入力に要する労力を緩和し、記録を正確かつ迅速に行うために、ユーザーが初期情報を入力可能なように初期情報ダイアログを、ディスプレイに表示する。初期情報ダイアログの例としては、図５のように、工事名称入力欄、表紙サブタイトル入力欄、作成日入力欄及び初期値設定（タイプ、箇所及びフロアの各入力欄）が設けられ、各入力欄の右端のボタンは、ユーザーがクリックすると各入力欄に必要事項を直接入力できる。また、ユーザー側で入力が完了したことを初期情報記録手段１５に知らせると共に、入力された初期情報を初期情報記録手段１５に記録させるためのＯＫボタン、並びに入力を中止したことを知らせるキャンセルボタンを設けた画面とすることができる。
この初期情報ダイアログにおいて、表紙サブタイトル及び工事名称については、右端のボタンをクリックすると、図５の下に示すように、初期情報記録手段１５に記録されていたもの（すなわち、以前入力したもの）が読み出され、表示されるので、この中から選択することが可能である。
【００１４】
工事名フォルダ設定手段２７は、初期情報記録手段１５に初期情報が記録された際、前記初期情報の中から工事名称を抽出し、前記工事名称を冠した工事名フォルダ（図２の２ａ）を設定する。
【００１５】
画層色設定変更手段２９は、対象である図面の任意の部位の画層の色を設定又は変更する手段である。画層の色の設定の対象となる任意の部位としては、前記部位の面積が内装数量積算の際問題となる部位を挙げることができ、例えば、一時、壁面積、天井面積の画層を挙げることができる。画層色設定変更手段２９は、これらの部位について、一時は水色、壁面積は赤色、天井面積は緑色というように、初期値を与えておき、ユーザーの希望があった時点で変更するようにする。ここで、「一時」とは、面積を計算する際に、ある点を選択し、次の点を選択するまでの間に表示される線（過渡的・一時的な線）という意味である。すなわち、次の点を選択し決定することにより、壁面積を決定していれば決定後の線の色が赤色となり、天井の場合は緑色となる。
尚、画層表示状態を一括で表示・非表示を変更したいというユーザーの希望に対しても応えることができることが望ましい。
【００１６】
壁種別情報記録手段１７は、壁の下地種別及び／又は壁の仕上げ種別である壁種別情報を記録する手段である。壁種別情報は、各壁ごとに、任意に或いはユーザーの希望により付けられる壁番号により整理して記録されるものとする。
壁の下地種別とは、具体的には、下地名称及びサイズであり、壁の仕上げ種別とは、具体的には仕上がり名称及びサイズである。いずれも、ユーザーが個別に指定する。
【００１７】
壁種別情報記録手段１７は、壁種別情報をユーザーが容易に登録、編集、及び削除できるように、また、操作を迅速かつ正確に行えるように、壁種別ダイアログをディスプレイに表示する。壁種別ダイアログの例を挙げると、図６のように、対象である図面中の壁を壁番号により指定するための壁番号入力欄、下地名称及びサイズを入力するための下地名称入力欄及びサイズ入力欄が設けられ、更に、既に指定済みの下地名称等がリストアップされている（図６の右側）。同様に、対象である図面中の壁を壁番号により指定するための壁番号入力欄、仕上げ名称及びサイズを入力するための仕上げ名称入力欄及びサイズ入力欄が設けられ、更に既に指定済みの仕上げ名称等がリストアップされている（図６の左側）。
各入力欄には、必要事項を直接入力できる。任意の壁についての壁種別情報の入力が完了したことを壁種別情報記録手段１７に伝えるための登録ボタンが設けられ、登録ボタンを押すと、入力した情報が種別表上に追加され、天井種別情報記録手段２１に登録されると共に、各入力欄は空欄となる。
【００１８】
また、天井種別表上の情報は、ユーザーがダブルクリック等すると編集又は削除の対象として天井種別情報記録手段２１が入力欄に表示する。編集の場合、入力欄に表示の内容を変更し、再度登録ボタンをクリックすることで新たに入力した天井種別表に追加され、天井種別情報記録手段２１に登録される。
更に、いったん入力した壁種別情報を削除する場合の削除ボタンも図面外に設けられ、削除する情報に相当する壁番号を選択して、削除ボタンをクリックした後に上記指定の場合と同様にＯＫボタンを押すと、壁種別情報が削除されたことが壁種別情報記録手段１７に伝えられる。更に、ユーザー側で壁種別情報の入力が完了したことを壁種別情報記録手段１７に知らせるためのＯＫボタン、並びに入力を中止したことを知らせるキャンセルボタンを設けた画面とすることができる。
【００１９】
壁面積計算記録手段１９は、壁種別が適用される壁部分ごとの壁面積を計算し記録する手段である。壁面積の計算は、基本的にはユーザーが指定した条件に基づいて行われるが、その指定に要する労力を緩和するために、初期情報記録手段１５、属性付き室名符号設定手段１１、壁種別情報記録手段１７及び属性付き開口符号設定手段１３に記録された初期情報、属性付き室名符号に関する情報、壁種別情報及び属性付き開口符号に関する情報を基にして行われるものとする。
【００２０】
壁面積計算記録手段１９は、壁面積に関する情報をユーザーが容易に指定できるように、ユーザーが容易に確認できるように、壁面積ダイアログをディスプレイに表示する。また、壁面積計算記録手段１９は、壁面積に関する情報をユーザーが容易に編集削除できるように、壁面積編集ダイアログをディスプレイに表示する。
壁面積ダイアログについては、例えば、対象である図面中に属性付き室名符号が表示されているとする場合に、任意の属性付き室名符号を指定すると、図７のような壁面積ダイアログが表示される。すなわち、初期情報から割り出されるタイプ、箇所、及びフロアと共に、属性付き室名符号に関する情報である室名、スラブ高及び天井高さが表示される。また、部位及び壁の位置の入力欄については、ユーザーが選択入力できるように三角印ボタンが設けられている。
【００２１】
壁に関しては、始点開始ボタン７ａ、壁種別情報を選択するための選択ボタン７ｃ、壁種別ボタン７ｄ、及び壁種別情報の入力欄が設けられている。
始点開始ボタン７ａは、ユーザーが壁面積の測定を希望する壁部分の始点及び終点から長さを自動的に測定するためのものである。本実施形態例においては、始点開始ボタン７ａがユーザーによりクリックされると、壁面積ダイアログを非表示とし図面をディスプレイ上に表示させる。図面は、ユーザーが壁の辺を指定可能となっており、指定部分、例えば、図１２の点Ａ〜Ｂの場合、点Ａを始点として点Ｂまでドラッグして指定すると、壁面積計算記録手段１９は、その辺を、測定を希望する部分であるとして認識する。尚、図面上で測定するために引かれた線は、その属性付き室名符号固有の情報として属性付き室名符号設定手段１１に関連付けられ、記録される。線を引き終わると、再び図１２の壁面積ダイアログが表示され、図面上で測定するために引かれた線の長さが壁種別情報の入力欄中の「下地」の「長さ」と「仕上げ」の「長さ」として表示されると共に、壁面積計算記録手段１９が記録する。
壁種別情報の入力欄中の「下地」の「高さ」及び「仕上げ」の「高さ」の欄には、属性付き室名符号設定手段１１に記録されているスラブ〜スラブ高及び天井高がそれぞれ取り入れられる。
尚、下地の長さ及び仕上げの長さ、下地の高さ及び仕上げの高さは、始点開始ボタンを使わずに、ユーザーが直接入力又は編集可能に表示される。
【００２２】
壁種別情報の入力には、「下地」の「種別」及び「仕上げ」の「種別」にも、ユーザーが選択入力できるように三角印ボタンが設けられている。三角印ボタンをクリックすると壁種別情報記録手段１７に記録された下地種別や仕上げの種別といった壁種別情報が選択可能に表示される。ここで、該当する種別がない場合は、壁種別ボタンをクリックすると、壁種別情報記録手段１７が立ち上がり図６の壁種別ダイアログが表示され、新規の壁種別情報を入力し登録することができ、登録した壁種別情報を下地や仕上げの種別として選択することができるようになっている。
【００２３】
図７の壁面積ダイアログには、開口部の選択ボタン７ｂ、属性付き開口符号に関する開口部の情報の入力欄及び登録ボタンが設けられている。開口部がある場合は、選択ボタン７ｂをクリックし、属性付き開口符号に登録されている開口符号名、Ｗ寸法、Ｈ寸法、補強本数の情報がそれぞれの欄に入力される。そして、登録ボタンをクリックすると、開口情報が登録される。
開口部に関する情報は、属性付き開口符号に登録されたものをユーザーが直接編集することも可能である。また、開口部の情報は、図７の下段のような開口表として登録されるので、編集する場合は、開口表より所定の開口情報を選択して数値を書き換えると、壁面積計算記録手段１９に伝えられる。また、いったん入力した壁種別情報を削除する場合の削除ボタンも図面外に設けられ、削除する情報に相当する開口情報を選択して、削除ボタンをクリックすると、開口情報が削除されたことが壁面積計算記録手段１９に伝えられる。
【００２４】
壁面積ダイアログは、更に、ユーザー側で任意の始点開始部分についての壁面積情報の入力が完了したことを壁面積計算記録手段１９に知らせるためのＯＫボタン、並びに入力を中止したことを知らせるキャンセルボタンを設けた画面とすることができる。
他の始点開始部分についての壁面積を算出するかどうかを知るために、壁面積計算記録手段１９は、ＯＫボタンのクリックがあった後に「次の壁を選択または閉じる（Ｃ）」とのメッセージが表示される画面を提供することができる。前記画面において「選択」の選択（クリック）があった場合には、他の始点開始部分についての壁面積を算出するものとして、再度壁面積ダイアログ（図７）を示す。ここで、壁面積の算出対象が先の始点開始部分と連続する壁部分の場合は、選択ボタン７ｃをクリックすることにより、連続する壁の一点目である図１２の点Ｂを自動的に読み出し、ユーザーに二点目の選択を促す。ユーザーが二点目（例えば、図１２の点Ｃ）を選択すると、上述の場合と同様にして壁面積の算出が行われる。一方、壁面積の算出対象が先の始点開始部分と連続しない新たな一点目である場合は、上述の場合と同様に始点開始ボタン７ａをクリックして、同様の指定が行われる。
「次の壁を選択または閉じる（Ｃ）」とのメッセージが表示される画面において「閉じる」が選択された場合には、壁面積計算記録手段１９において壁面積の算出及び記録が終了する。
【００２５】
壁面積情報編集ダイアログについては、例えば、対象である図面中に属性付き室名符号が表示されているとする場合に、任意の属性付き室名符号を指定すると、壁面積計算記録手段１９が属性付き室名符号に関連付けられた図面上で測定するために引かれた線を読み出し、その線を選択可能な状態として（例えば線の色を変える等して）表示する。その線をユーザーが選択すると、図８のような壁面積編集ダイアログを表示する。図８の壁面積編集ダイアログは、図７の壁面積ダイアログと同様であるので、基本的には図７について説明したのと同様にして該当箇所を訂正又は削除する。操作を終了し、ＯＫボタンをクリックすると、壁面積情報が編集されたことが壁面積計算記録手段１９に伝えられることになる。
【００２６】
天井種別情報記録手段２１は、天井の下地種別及び／又は天井の仕上げ種別である天井種別情報を記録する手段である。天井種別情報は、各天井ごとに、任意に或いはユーザーの希望により付けられる天井番号により整理して記録される。
天井の下地種別とは、具体的には、下地名称及びサイズであり、壁の仕上げ種別とは、具体的には仕上がり名称及びサイズである。いずれも、ユーザーが個別に指定する。
天井種別情報記録手段２１は、天井種別情報をユーザーが容易に登録、編集、及び削除できるように、また、操作を迅速かつ正確に行えるように、天井種別ダイアログをディスプレイに表示する。天井種別ダイアログの例を挙げると、図９のように、対象である図面中の天井を天井番号により指定するための天井番号入力欄、下地名称及びサイズを入力するための下地名称入力欄及びサイズ入力欄が設けられ、更に既に指定済みの下地名称等がリストアップされている（図９の右側）。同様に、対象である図面中の天井を天井番号により指定するための天井番号入力欄、仕上げ名称及びサイズを入力するための仕上げ名称入力欄及びサイズ入力欄が設けられ、更に既に指定済みの仕上げ名称等がリストアップされている（図９の左側）。各入力欄の右端のボタンをクリックすると各入力欄に必要事項を直接入力できる。任意の壁についての天井種別情報の入力が完了したことを天井種別情報記録手段２１に伝えるための登録ボタンが設けられ、登録ボタンを押すと、入力した情報が種別表上に追加され、天井種別情報記録手段２１に登録されると共に、各入力欄は空欄となる。
また、天井種別表上の情報は、ユーザーがダブルクリック等すると編集又は削除の対象として天井種別情報記録手段２１が入力欄に表示する。編集の場合、入力欄に表示の内容を変更し、再度登録ボタンをクリックすることで新たに入力した天井種別表に追加され、天井種別情報記録手段２１に登録される。
更に、いったん入力した天井種別情報を削除する場合の削除ボタンも図面外に設けられ、削除する情報に相当する天井番号を選択して、削除ボタンをクリックした後に上記指定の場合と同様にＯＫボタンを押すと、天井種別情報が削除されたことが天井種別情報記録手段２１に伝えられる。更に、ユーザー側で天井種別情報の入力が完了したことを天井種別情報記録手段２１に知らせるためのＯＫボタン、並びに入力を中止したことを知らせるキャンセルボタンを設けた画面とすることができる。
【００２７】
天井面積計算記録手段２３は、天井種別が適用される天井部分ごとの天井面積を計算し記録する手段である。天井面積の計算は、基本的にはユーザーが指定した条件に基づいて行われるが、その指定に要する労力を緩和するために、初期情報記録手段１５、属性付き室名符号設定手段１１及び天井種別情報記録手段２１に記録された初期情報、属性付き室名符号に関する情報、及び天井種別情報に関する情報を基にして行われる。尚、廻り縁を設ける場合や折上げ天井を設ける場合には、ユーザーが条件を指定する必要がある。
【００２８】
天井面積計算記録手段２３は、天井面積に関する情報をユーザーが容易に指定できるように、またユーザーが容易に確認できるように、天井面積ダイアログをディスプレイに表示する。
例えば、対象である図面中に属性付き室名符号が表示されているとする場合に、任意の属性付き室名符号を指定すると、図１０のような天井面積ダイアログが表示される。すなわち、初期情報から割り出されるタイプ、箇所、及びフロアと共に、属性付き室名符号に関する情報である室名、スラブ高及び天井高さが表示される。また、ユーザーが天井についてのコメントを記録できるように、メモ欄が設けられている。
【００２９】
天井面積に関しては、選択ボタン１０ａ、面積詳細ボタン１０ｂ、天井種別情報を選択するための選択ボタン１０ｃ、及び天井種別情報の入力欄が設けられている。
選択ボタン１０ｃは、ユーザーが天井面積の測定を希望する天井部分を特定するためのものである。本形態例においては、選択ボタン１０ｃがユーザーによりクリックされると、天井面積ダイアログを非表示とし図面をディスプレイ上に表示させる。図面は、ユーザーが面積部分を指定可能となっており、指定部分、例えば図１３の点Ｇから点Ｈ、点Ｉと天井面積の範囲を囲むように終点を点Ｇまで順に指定すると、天井面積計算記録手段２３は、その天井部分を天井面積の測定を希望する部分であるとして認識する。尚、図面上で測定するために引かれた線及び範囲は、その属性付き室名符号固有の情報として属性付き室名符号設定手段１１に関連付けられ、記録される。
また、天井面積の範囲が指定された後に、その一部を加算または減算するかのユーザーの希望を確認する。加算を望む場合は、再び図面をディスプレイ上に表示させ、ユーザーが加算或いは減算面積範囲を囲むように指定すると、天井面積計算記録手段２３は、その天井部分を天井面積の測定を希望する部分であるとして認識する。
尚、面積詳細ボタン１０ｂをクリックすると、天井面積範囲に対する加算減算状況を確認することができる。
【００３０】
図１１の天井面積編集ダイアログには、図面上で上述のようにしてユーザーにより指定された天井面積が、天井種別情報の入力欄中の「下地」の「面積」及び「仕上げ」の「面積」として表示されると共に、天井面積計算記録手段２３が記録する。
尚、下地の面積及び仕上げの面積は、選択ボタンを使わずに、ユーザーが直接入力又は編集可能に表示される。
【００３１】
天井種別情報の入力には、「下地」の「種別」及び「仕上げ」の「種別」にも、ユーザーが選択入力できるように三角印ボタンが設けられている。三角印ボタンをクリックすると天井種別情報記録手段２１に記録された下地種別や仕上げの種別といった天井種別情報が選択可能に表示される。ここで、該当する種別がない場合は、天井種別ボタンをクリックすると、天井種別情報記録手段２１が立ち上がり図９の天井種別ダイアログが表示され、新規の天井種別情報を入力し登録することができ、登録した天井種別情報を下地や仕上げの種別として選択することができるようになっている。
【００３２】
廻り縁の長さについては、ユーザーにより直接入力又は編集されるが、上記選択ボタンにより天井面積範囲を指定した場合は、天井面積計算記録手段２３は、外周部分の長さも自動的に測定しユーザーが編集可能に表示する。
また、廻り縁の「種別」には、下地や仕上げの場合と同様に、ユーザーが選択入力できるように三角印ボタンが設けられている。三角印ボタンをクリックすると天井種別情報記録手段２１に記録された下地種別や仕上げの種別といった天井種別情報が選択可能に表示される。
もし、廻り縁の範囲が異なる場合は、天井面積ダイアログ（図１０参照）の選択ボタン１０ｄをクリックし、図面上に廻り縁の範囲を指示することにより廻り縁の長さを入力することもできる。
【００３３】
折上げ天井については、選択ボタン（図１０の１０ｅ）、Ｈ寸法入力欄、長さ入力欄及び登録ボタンが設けられている。
選択ボタン１０ｅは、ユーザーが折上げ天井の長さを特定するためのものである。本形態例においては、選択ボタンがユーザーによりクリックされると、天井面積ダイアログを非表示とし図面をディスプレイ上に表示させる。図面は、ユーザーが長さを指定可能となっており、指定部分例えば、図１３の点Ｍと点Ｎを指定すると、天井面積計算記録手段２３は、その長さが測定を希望する部分であるとして認識する。尚、図面上で測定するために引かれた線は、その属性付き室名符号固有の情報として属性付き室名符号設定手段１１に関連付けられ、記録される。
図１１の天井面積編集ダイアログには、図面上で上述のようにしてユーザーにより指定された長さが、折上げ天井の「長さ」として表示されると共に、天井面積計算記録手段２３が記録する。尚、選択ボタンを使わずに、ユーザーが直接入力又は編集可能に表示される。
Ｈ寸法入力欄は、ユーザーが折上げ天井の高さを直接入力するための欄である。
折上げ天井に関する情報は、ユーザーが直接編集することも可能である。また、折上げ天井の情報は、ユーザーが登録ボタンをクリックすることにより、図１１の下段右側のようなリストに加えられるので、編集する場合は、リストより所定の情報を選択して数値を書き換えると、天井面積計算記録手段２３に伝えられる。また、いったん入力した天井種別情報を削除する場合の削除ボタンも図面外に設けられ、削除する情報に相当する開口情報を選択して、削除ボタンをクリックすると、開口情報が削除されたことが天井面積計算記録手段２３に伝えられる。
【００３４】
更に、天井面積編集ダイアログ（図１１）は、ユーザー側で任意の天井部分についての天井面積情報の入力が完了したことを天井面積計算記録手段２３に知らせるためのＯＫボタン、並びに入力を中止したことを知らせるキャンセルボタンを設けた画面とすることができる。
他の天井部分についての天井面積を算出するかどうかを知るために、天井面積計算記録手段２３は、ＯＫボタンのクリックがあった後に「次の壁を選択または閉じる（Ｃ）」とのメッセージが表示される画面を提供することができる。前記画面において「選択」の選択（クリック）があった場合には、他の天井部分についての天井面積手段を算出するものとして、再度天井面積ダイアログ（図１１）を示す。
「次の壁を選択または閉じる（Ｃ）」とのメッセージが表示される画面において「閉じる」が選択された場合には、天井面積計算記録手段２３において天井面積の算出及び記録が終了する。
【００３５】
天井面積編集ダイアログ（図１１）については、例えば、対象である図面中に属性付き室名符号が表示されているとする場合に、任意の属性付き室名符号を指定すると、天井面積計算記録手段２３が属性付き室名符号に関連付けられた図面上で測定するために引かれた範囲を読み出し、その範囲を選択可能な状態として（例えば範囲の色を変える等して）表示する。その範囲をユーザーが選択すると、図１１のような天井面積編集ダイアログを表示する。図１１の天井面積編集ダイアログは、図１０の天井面積ダイアログと同様であるので、基本的には図１０について説明したのと同様にして該当箇所を訂正又は削除する。操作を終了し、ＯＫボタンをクリックすると、天井面積情報が編集されたことが天井面積計算記録手段２３に伝えられることになる。
【００３６】
計算書及び集計表作成手段２５は、壁面積計算記録手段１９が計算した壁面積、天井面積計算記録手段２３が計算した天井面積を集計し、計算書と集計表を含むファイル（図２の２ｂ）を作成し集計して記録する。
計算書とは、内装材の数量を示したものであり、その一例（仕上げ計算書）を図１８に示す。図１８中では、まず工事名称と共にタイプ（Ａ）、フロア（１）、及び室名（洋室）が示され、３種類の壁について、コード、材料、サイズ、材料の計算式、開口部の面積の計算式が記載されている。
集計表とは、計算の結果をまとめたものであり、その一例を図１９及び図２０（仕上げ部位別集計表）に示す。図１９には、工事名称がタイトルとして付され、壁について、部位コード、仕上げ、サイズ、単位及び合計と共に、タイプ、フロア及び室名がリストアップされている。また、図２０は、図１９と同様であるが、フロア別に表示されている。
【００３７】
計算書及び集計表作成手段２５は、部屋（フロア）毎及び物件毎に、かつ下地及び仕上げ毎に計算書及び集計表を作成する。例えば、壁下地計算書、壁仕上げ計算書、天井面積計算書、天井仕上げ計算書として各部屋毎に作成し、また、物件ごとに作成し、これらの計算書を基に集計表を作成する。
【００３８】
計算書及び集計表作成手段２５は、特に集計表の作成条件をユーザーが容易に指定できるように、またユーザーが容易に確認できるように、表紙シートをディスプレイに表示することができる。例えば、図１４に示す数量集計表のように、壁下地、壁仕上げ、天井面積、天井仕上げの部分を集計するかを確認するための集計実行ボタン（図１４の１４ａ）を設けたものとすることができる。更に、壁符号がある物件の場合には、壁符号シート（図１５）が選択可能となっており、前記壁符号シートにおいて壁符号抽出ボタンをクリックすると、全ての計算書における部位欄コード欄の情報が壁符号シートに自動で入力されるので、その情報から該当する壁符号を壁符号欄に入力し、再び集計実行ボタン（１４ａ）をクリックすると、計算書シート及び集計表シートのコード欄が壁符号に変換する。
一方、図１６のように、物件毎の集計をするかを確認するための集計実行ボタン（図１６の１６ａ）を設けたものとすることができる。
【００３９】
尚、本発明の内装数量システムは、ユーザーの希望に従い上記の一連の手段のいずれかを立ち上げるために、図４のようなツールバーをディスプレイ上に表示する。
【００４０】
続いて、本発明の内装数量計算システムの流れを図１７及び図２１〜図２９を参照しながら主にユーザーの側から説明する。
まず、前提として、図３０に示すように、本システムは汎用ＣＡＤソフトと汎用表計算ソフトが内蔵されているパソコンにインストールされている。具体的には、汎用ＣＡＤソフトが内蔵されているドライブと同じドライブの直下を指示して、フォルダは「内装工事数量計算」とし、図３０のように内装数量計算システム用ＣＡＤソフトとして構成される。
【００４１】
初期設定、工事名フォルダ設定及び画層色の変更について、図２１を参照しながら説明する。
ユーザーが内装数量計算システムを起動させると、ディスプレイにツールバー（図４）が表示される（ステップ１０１）。ユーザーが同じパソコン上のＣＡＤソフトを使って数量計算の対象である設計図面を開くと（ステップ１０２）、属性付き室名符号設定手段１１を立ち上げる。図３のように属性付き室名符号設定手段１１は上記図面に属性付き室名符号である室名３ａ、スラブ〜スラブ高３ｂ及び天井高３ｃを設定し、独自の属性符号「ｓｉｔｕｍｅｉｈｕｇｏｕ」を設定する（ステップ１０３）。一方、属性付き開口符号設定手段１３も立ち上がり、符号３ｅ、補強本数３ｆ及びＷ寸法３ｇ及びＨ寸法３ｈを設定し、独自の属性符号「ｋａｉｋｏｕｈｕｇｏｕ（３ｈ）を設定する（ステップ１０４）。
【００４２】
ユーザーがディスプレイのツールバー（図４）の初期設定ボタン４ａをクリックすると（ステップ１０５）、初期情報記録手段１５が立ち上がり（ステップ１０６）、初期情報ダイアログ（図Ｃ）がディスプレイに表示される（ステップ１０７）。ユーザーが初期情報としての工事名称及び／又は表紙サブタイトルについて過去の名称から選択すべく、三角ボタンをクリックした場合は（ステップ１０８のＹｅｓ）初期情報記録手段１５が過去に記録された工事名称及び／又は表紙サブタイトルを読み出し、リストとして表示し（ステップ１０９：図５の下段）ステップ１１０へ進む。一方、三角ボタンがクリックしなかった場合は（ステップ１０８のＮｏ）、工事名称及び／又は表紙サブタイトルを入力し（ステップ１０８−１）、その他作成日、初期値（タイプ、箇所、フロア）を入力し、ＯＫボタンを押す（ステップ１１０）。初期情報記録手段１５は、必要な初期情報が入力されているかどうかチェックし、入力されている場合は（ステップ１１１のＹｅｓ）、その初期情報を記録する（ステップ１１２）。入力が不十分な場合は（ステップ１１１のＮｏ）、「工事名称が入力されていません」など入力が不十分な初期情報名を明示して再度初期情報ダイアログを表示し、ステップ１０７に戻る。
【００４３】
次に、初期情報記録手段１５に初期情報が記録されると、工事名フォルダ設定手段２７が自動的に立ち上がり（ステップ１１３）、前記初期情報の中から工事名称を抽出し、前記工事名称を冠した工事名フォルダを設定する（ステップ１１４）。
【００４４】
ユーザーが画層色についての初期値（一時が水色、壁面積が赤色、天井面積が緑色）のいずれかについて変更したい場合は（ステップ１１５のＹｅｓ）、ディスプレイのツールバー（図４）の画層色変更ボタン（４ｂ）をクリックすると（ステップ１１６）、画層色設定変更手段２９が立ち上がり（ステップ１１７）、一時、壁面積及び天井面積のいずれかについて変更後の画層の色を入力可能なようにディスプレイに表示する（ステップ１１８）。変更後の色を入力してＯＫボタンをクリックすると（ステップ１１９）、入力に不備がないかどうかチェックし、不備がなければ（ステップ１２０のＹｅｓ）その色に変更する（ステップ１２１）。不備がある場合は（ステップ１２０のＮｏ）、再度画層色変更画面を表示し、ステップ１１８に戻る。
ユーザーが画層色についての初期値を変更したくない場合は（ステップ１１５のＮｏ）、ここで操作を終了する。
尚、ツールバーには、ユーザーが画層表示状態を一括で表示・非表示を変更したい場合にクリックするための、画層表示切替ボタン４ｃも設けられている。
【００４５】
壁種別情報の入力及び記録について、図２２を参照しながら説明する。
ユーザーがディスプレイのツールバー（図４）の壁種別ボタン４ｄをクリックすると（ステップ２０１）、壁種別情報記録手段１７が立ち上がり（ステップ２０２）、壁種別ダイアログ（図６）がディスプレイに表示される（ステップ２０３）。ユーザーが壁種別情報としての番号、下地名称、及びサイズ、並びに仕上げ名称、及びサイズを各入力欄に入力し、登録ボタンをクリックすると（ステップ２０４）、壁種別情報記録手段１７が入力に不備がないかどうかチェックし、不備がなければ（ステップ２０５のＹｅｓ）、入力した内容が壁種別表に表示される（ステップ２０６）。不備がある場合は（ステップ２０５のＮｏ）、ステップ２０４に戻る。
いったん登録した壁種別情報を編集する必要が生じた場合は（ステップ２０７のＹｅｓ）、壁種別表上で編集したい項目をダブルクリックするとその壁種別情報の内容が各入力欄に表示されステップ２０４に戻る。編集する必要がない場合は（ステップ２０７のＮｏ）ステップ２０８に進む。
いったん登録した壁種別情報を削除する必要が生じた場合は（ステップ２０８のＹｅｓ）、壁種別表上で削除したい項目をクリックし削除ボタンをクリックする（ステップ２０９）。削除する必要がない場合は（ステップ２０８のＮｏ）、ステップ３０１に進む。
【００４６】
壁面積の計算及び記録について、図２３〜図２５を参照しながら説明する。
ユーザーがディスプレイのツールバー（図４）の壁面積ボタン４ｅをクリックし（ステップ３０１）、数量計算の対象である図面上の独自の属性付き室名符号「ｓｉｔｕｍｅｉｈｕｇｏｕ」を選択すると（ステップ３０２）、初期情報記録手段１５、属性付き室名符号設定手段１１、壁種別情報記録手段１７、及び壁面積計算記録手段１９が立ち上がり（ステップ３０３）、初期情報記録手段１５に記録された初期情報、属性付き室名符号設定手段１１に記録された属性付き室名符号に関する情報、壁種別情報記録手段１７に記録された壁種別情報が壁面積計算記録手段１９に送られ（ステップ３０４）、これらの情報を読み込んだ壁面積ダイアログ（図７）が壁面積計算記録手段１９によりディスプレイに表示される（ステップ３０５）。
【００４７】
ユーザーが下地の長さ及び仕上げの長さ（例えば図面（図１２）上の点Ａから点Ｂの長さ）の自動測定を望む場合（ステップ３０６のＹｅｓ）は、壁面積ダイアログ（図７）の始点開始ボタン７ａをクリックすると、ディスプレイ上では壁面積ダイアログが非表示となり、図面（図１２）上に「始点を指定」のメッセージが表示され（ステップ３０７）、ユーザーが図１２の点Ａから点Ｂを指定する（ステップ３０８）。すると、壁面積計算記録手段１９が点Ａから点Ｂの長さを自動測定し、壁面積ダイアログが示され、下地の長さ及び仕上げの長さの欄に線の長さが入力され（ステップ３０９）、ステップ３１１へ進む。
自動測定を望まない場合（ステップ３０６のＮｏ）でも始点開始ボタン７ａをクリックし、同様に図１２中にポリラインを引く（ステップ３１０）。
一方、下地の高さ及び仕上げの高さの欄には、ステップ３０４及びステップ３０５において、壁種別情報記録手段１７に記録された壁種別情報としての天井高の情報がそれぞれ入力されるが、ユーザーが編集を望む場合には（ステップ３１１のＹｅｓ）、その欄に直接適当な数字を入力する（ステップ３１２）。一方、編集する必要がない場合には（ステップ３１１のＮｏ）、そのままステップ３１３に進む。更に、下地種別欄及び仕上げ種別欄は、三角ボタンをクリックして表示される種別の中から適当なものがある場合（ステップ３１３のＹｅｓ）はそれを選択し、ステップ３１５へ進む。ない場合（ステップ３１３のＮｏ）は壁種別ボタンを選択して（ステップ３１４）壁種別ダイアログを表示させ、図２２のステップ２０２〜ステップ２０９の操作を行い、新規の壁種別を入力し登録してからステップ３１３へ戻ってそれを選択することができる。
【００４８】
壁に開口部がある場合は（ステップ３１５のＹｅｓ）、壁面積ダイアログ（図７）の選択ボタン７ｂをクリックし（ステップ３１６）、図面上の独自の属性付き開口符号「ｋａｉｋｏｕｈｕｇｏｕ」を選択すると（ステップ３１７）、属性付き開口符号設定手段１３が立ち上がり（ステップ３１８）、属性付き開口符号設定手段１３に記録された属性付き開口符号に関する情報が壁面積計算記録手段１９に送られ（ステップ３１９）、これらの情報を開口情報として読み込んだ壁面積ダイアログ（図７）が壁面積計算記録手段１９によりディスプレイに表示される（ステップ３２０）。登録ボタンをクリックすると（ステップ３２１）、開口情報が登録され、開口表に加えられる（ステップ３２２）。いったん登録した開口情報を編集する必要が生じた場合は（ステップ３２３のＹｅｓ）、開口表上で編集したい項目をダブルクリックするとその内容が各入力欄に表示され（ステップ３２４）、これを編集して（ステップ３２５）ステップ３２０に戻る。いったん登録した壁種別情報を削除する必要が生じた場合は（ステップ３２６のＹｅｓ）、壁種別表上で削除したい項目をクリックし削除ボタンをクリックする（ステップ３２７）。
【００４９】
その壁面積の入力を終えたら、図７のＯＫボタンをクリックする（ステップ３２８）。画面上に「次の壁を選択又は閉じる（Ｃ）」とメッセージが表示される。次の壁として、連続する壁である図１２の点Ｂから点Ｃ間を選択する場合は（ステップ３２９のＹｅｓ）、ユーザーは、キーボードのＥｎｔｅｒを押す（ステップ３３０）。再び新規で壁面積ダイアログ（図７）が表示されるので、選択ボタン７ｃをクリックする（ステップ３３１）。すると、連続する壁の一点目（始点）である点Ｂは自動的に選択される（ステップ３３２）ので、そのまま二点目の点Ｃを選択して（ステップ３３３）、ステップ３１０へ戻る。連続しない新たな一点目を選択する場合も（ステップ３２９のＹｅｓ）、ユーザーは、キーボードのＥｎｔｅｒを押し（ステップ３３０）、ステップ３０６からの操作を繰り返す。
一方、壁面積の入力をすべて終了させたい場合は（ステップ３２９のＮｏ）、ユーザーは、キーボードで「Ｃ」を入力してＥｎｔｅｒを押す（ステップ３３４）。すると、壁面積が計算され（ステップ３３５）、計算書及び集計表作成手段２５に送られる（ステップ３３６）。
【００５０】
ユーザーが、いったん入力した壁面積情報を編集、削除したい場合は（ステップ３３７のＹｅｓ）ツールバー（図４）の壁面積編集ボタン４ｆをクリックし、独自の属性付き室名符号を選択すると（ステップ３３８）、その符号に関連付けられた図面上で測定するために引かれた線の色が変わり、操作可能な状態になるので、その線を選択すると（ステップ３３９）、ディスプレイに壁面積編集ダイアログが表示され（ステップ３４０）、編集や削除を行うことができる状態となる。編集や削除を終え、閉じる（Ｃ）を選択すると（ステップ３４１）、画面上に「ファイルの更新中」というメッセージが表示され、編集や削除された後の壁面積情報が壁面積計算記録手段１９により計算書及び集計表作成手段２５に送られる（ステップ３４２）。
【００５１】
天井種別の入力及び記録について、図２６を参照しながら説明する。
続いて、ユーザーがディスプレイのツールバー（図４）の天井種別ボタン４ｇをクリックすると（ステップ４０１）、天井種別情報記録手段２１が立ち上がり（ステップ４０２）、天井種別ダイアログ（図９）がディスプレイに表示される（ステップ４０３）。ユーザーが天井種別情報としての番号、下地名称、及びサイズ、並びに仕上げ名称、及びサイズを各入力欄に入力し、登録ボタンをクリックすると（ステップ４０４）、天井種別情報記録手段２１が入力に不備がないかどうかチェックし、不備がなければ（ステップ４０５のＹｅｓ）、入力した内容が天井種別表に表示される（ステップ４０６）。不備がある場合は（ステップ４０５のＮｏ）、ステップ４０４に戻る。
いったん登録した天井種別情報を編集する必要が生じた場合は（ステップ４０６のＹｅｓ）、天井種別表上で編集したい項目をダブルクリックするとその天井種別情報の内容が各入力欄に表示されステップ４０４に戻る。編集する必要がない場合は（ステップ４０６のＮｏ）ステップ４０７に進む。
いったん登録した天井種別情報を削除する必要が生じた場合は（ステップ４０８のＹｅｓ）、天井種別表上で削除したい項目をクリックし削除ボタンをクリックする（ステップ４０９）。削除する必要がない場合は（ステップ４０８のＮｏ）、ステップ５０１に進む。
【００５２】
天井面積の計算及び記録について、図２７〜図２８を参照しながら説明する。
続いて、ユーザーがディスプレイのツールバー（図４）の天井面積ボタン４ｈをクリックし（ステップ５０１）、数量計算の対象である図面上の独自の属性付き室名符号「ｓｉｔｕｍｅｉｈｕｇｏｕ」を選択すると（ステップ５０２）、初期情報記録手段１５、属性付き室名符号設定手段１１、天井種別情報記録手段２１、及び天井面積計算記録手段２３が立ち上がり（ステップ５０３）、初期情報記録手段１５に記録された初期情報、属性付き室名符号設定手段１１に記録された属性付き室名符号に関する情報、天井種別情報記録手段２１に記録された天井種別情報が天井面積計算記録手段２３に送られ（ステップ５０４）、これらの情報を読み込んだ天井面積ダイアログ（図１０）が天井面積計算記録手段２３によりディスプレイに表示される（ステップ５０５）。
【００５３】
ユーザーが天井の下地や仕上げ面積の範囲（例えば図面（図１３）上の点Ｇ、Ｈ，Ｉに囲まれる部分の面積）の自動測定を望む場合は、天井面積ダイアログ（図１０）の選択ボタン１０ａをクリックすると（ステップ５０６のＹｅｓ）、ディスプレイ上では天井面積ダイアログが非表示となり、図面（図１３）上に「範囲を指定」のメッセージが表示され（ステップ５０７）、ユーザーが図１３の点Ｇから点Ｈ、Ｉに囲まれる範囲を指定する（ステップ５０８）。天井面積計算記録手段２３が天井面積の範囲が適切に入力されていると判断した場合には（ステップ５０９のＹｅｓ）、「確定（Ｄ）／減算（Ｓ）／加算（Ａ）」というメッセージが表示される（ステップ５１０）。図面上で既に指示されている天井面積範囲を減算する場合には（ステップ５１１のＹｅｓ）、減算（Ｓ）を選択して減算部分（例えばブラインドボックス１３ａ）を指定する（ステップ５１２）。減算しない場合はステップ５１３へ進む。加算する場合は（ステップ５１３のＹｅｓ）、加算天井面積範囲を囲んで加算を指示する（ステップ５１４）。加算しない場合は（ステップ５１３のＮｏ）、ステップ５１６へ進む。これに対し、天井面積計算記録手段２３が天井面積の範囲が適切に入力されていると判断しなかった場合は（ステップ５０９のＮｏ）、「再度入力して下さい」のメッセージが示され、ステップ５０６に戻る。一方、自動測定を望まない場合は、選択ボタンをクリックせずに（ステップ５０６のＮｏ）、ユーザーが同様に図１３中にポリラインを引き、下地や仕上げ面積の欄に面積を直接記入する（ステップ５１５）。
天井面積範囲が決まり、確定（Ｄ）を選択すると（ステップ５１６）、下地の面積及び仕上げの面積の欄に面積が入力された天井面積ダイアログが示される（ステップ５１７）。更に、下地種別欄及び仕上げ種別欄は、三角ボタンをクリックして表示される種別の中から適当なものが選択できる場合（ステップ５１８のＹｅｓ）は、ステップ５２０へ進むが、ない場合（ステップ５１８のＮｏ）は天井種別ボタンを選択して（ステップ５１９）壁種別ダイアログを表示させ、ステップ４０３〜ステップ４０９の操作を行い、新規の壁種別を入力し登録してからステップ５１８へ戻ってそれを選択することができる。
【００５４】
廻り縁の範囲が既に入力されており、その内容に変更がない場合は（ステップ５２０のＹｅｓ）、ステップ５２２へ進むが、入力されていない場合や変更の必要がある場合は（ステップ５２０のＮｏ）、正しい数値を記入する（ステップ５２１）。
折り上げ天井（例えば図１３の１３ｂ部分の点Ｍから点Ｎ間）を入力する必要がある場合に、天井面積ダイアログ（図１０）の選択ボタン１０ｅをクリックすると（ステップ５２２のＹｅｓ）、ディスプレイ上では天井面積ダイアログが非表示となり、図面（図１３）上に「始点と終点を指定」のメッセージが表示され、ユーザーが図１３の点Ｇから点ＭとＮを指定する（ステップ５２３）。天井面積計算記録手段２３が天井面積の範囲が適切に入力されていると判断した場合には（ステップ５２４のＹｅｓ）、再度天井面積ダイアログが示され、折り上げ天井の入力欄に点Ｍと点Ｎ間の長さが入力される（ステップ５２６）。一方、選択ボタン（１０ｅ）をクリックしない場合は（ステップ５２２のＮｏ）、必要に応じてユーザー自身が入力欄に適当な数値を入れて（ステップ５２５）、ステップ５２６へ進む。不備があった場合（ステップ５２４のＮｏ）、ステップ５２２へ戻る。
一方、折上げ天井の高さは、Ｈ寸法を直接入力する（ステップ５２７）。
いったん登録した折上げ天井情報を削除する必要が生じた場合は（ステップ５２８のＹｅｓ）、天井種別表上で削除したい項目をクリックし削除ボタンをクリックする（ステップ５２９）。削除する必要がない場合は（ステップ５２８のＮｏ）、ステップ５３０に進む。
【００５５】
その天井面積の入力を終えたら、図１０のＯＫボタンをクリックする（ステップ５３０）。画面上に「次の天井を選択又は閉じる（Ｃ）」とメッセージが表示される。次の天井を選択する場合は（ステップ５３１のＹｅｓ）、ユーザーは、キーボードのＥｎｔｅｒを押し（ステップ５３２）、ステップ５０６からの操作を繰り返す。
一方、天井面積の入力をすべて終了させたい場合は（ステップ５３１のＮｏ）、ユーザーは、キーボードで「Ｃ」を入力してＥｎｔｅｒを押す（ステップ５３３）。すると、天井面積が計算され（ステップ５３４）、計算書及び集計表作成手段２５に送られる（ステップ５３５）。
【００５６】
ユーザーが、いったん入力した天井面積情報を編集、削除したい場合は（ステップ５３６のＹｅｓ）ツールバー（図４）の天井面積編集ボタン４ｉをクリックし、独自の属性付き室名符号を選択すると（ステップ５３７）、その符号に関連付けられた図面上で測定するために引かれた線の色が変わり、操作可能な状態になるので、その線を選択すると（ステップ５３８）、ディスプレイに天井面積編集ダイアログ（図１１）が表示され（ステップ５３９）、編集や削除を行うことができる状態となる。編集や削除を終え、或いは編集や削除をしない場合（ステップ５３６のＮｏ）に閉じる（Ｃ）を選択すると（ステップ５４０）、画面上に「ファイルの更新中」というメッセージが表示され、編集や削除された後の天井面積情報が天井面積計算記録手段２３により計算書及び集計表作成手段２５に送られる（ステップ５４１）。
【００５７】
次に、計算書及び集計表の作成について、図２９を参照しながら説明する。
計算書及び集計表作成手段２５は、壁面積計算記録手段１９及び天井面積計算記録手段２３から送られてきた壁面積や天井面積から、部屋ごとの壁下地・壁仕上げ・天井下地・天井仕上げ計算書シート（それぞれの種別に分けられている：例えば、図１８）を作成してファイル（図２の２ｂ）に記録する（ステップ６０１）。
集計表を作るにあたり、まず、ユーザーが表紙シート（図１４）を選択する（ステップ６０２）。
壁符号がある場合（ステップ６０３のＹｅｓ）、壁符号シート（図１５）を選択し（ステップ６０４）、壁符号抽出ボタン１５ａをクリックすると（ステップ６０５）、全ての計算書内に入力されていた部位欄、コード欄の情報が壁符号シートに自動で入力される（ステップ６０６）。その情報から該当する壁符号を壁符号欄に入力し（ステップ６０７）、ステップ６０８に進む。一方、壁符号がない場合は（ステップ６０３のＮｏ）、そのままステップ６０８に進む。
ユーザーが集計実行ボタン１４ａをクリックすると（ステップ６０８）、集計表（図１９）が作成され、計算書と共にファイル（図２の２ｂ）に記録される（ステップ６０９）。
物件ごとの集計を行う場合（ステップ６１０のＹｅｓ）、図２からフロア別集計表ファイル２ｃを開くと（ステップ６１１）、表紙サブタイトルごとの集計を行いフロア別集計表（図２０）が作成される（ステップ６１２）。物件ごとの集計を行わない場合は（ステップ６１０のＮｏ）、操作を終了する。
【産業上の利用可能性】
【００５８】
本発明の内装数量計算システムによれば、図面における数量算出において、作業の省力化と時間の短縮、そして正確な数量算出が可能となる。
【図面の簡単な説明】
【００５９】
【図１】本発明の内装数量計算システムの構成を示す模式図である。
【図２】フォルダ及びファイル構成の一例を示す模式図である。
【図３】独自の属性付き符号の属性項目の一例を示す説明図である。
【図４】ツールバーの一例を示す説明図である。
【図５】初期情報登録手段がディスプレイに提供する初期設定ダイアログの一例を示す説明図である。
【図６】壁種別情報登録手段がディスプレイに提供する壁種別ダイアログの一例を示す説明図である。
【図７】壁面積計算登録手段がディスプレイに提供する壁面積ダイアログの一例を示す説明図である。
【図８】壁面積計算登録手段がディスプレイに提供する壁面積編集ダイアログの一例を示す説明図である。
【図９】天井種別情報登録手段がディスプレイに提供する天井種別ダイアログの一例を示す説明図である。
【図１０】天井面積計算登録手段がディスプレイに提供する天井面積ダイアログの一例を示す説明図である。
【図１１】天井面積計算登録手段がディスプレイに提供する天井面積編集ダイアログの一例を示す説明図である。
【図１２】壁面積編集ダイアログにおける始点開始ボタンを選択した場合に示される図面の一例を示す説明図である。
【図１３】天井面積編集ダイアログにおける選択ボタンを選択した場合に示される図面の一例を示す説明図である。
【図１４】計算書及び集計表作成手段がディスプレイに提供する表紙シートの一例を示す説明図である。
【図１５】計算書及び集計表作成手段がディスプレイに提供する壁符号シートの一例を示す説明図である。
【図１６】計算書及び集計表作成手段がディスプレイに提供する表紙シート（フロア別集計ファイル）の一例を示す説明図である。
【図１７】本発明のシステムの全体の流れを示すフロー図である。
【図１８】計算書及び集計表作成手段がディスプレイに提供する計算書の一例を示す説明図である。
【図１９】計算書及び集計表作成手段がディスプレイに提供する集計表の一例を示す説明図である。
【図２０】計算書及び集計表作成手段がディスプレイに提供するフロア別集計表の一例を示す説明図である。
【図２１】初期設定、工事名フォルダ設定及び画層色の変更の流れを示すフロー図である。
【図２２】壁種別情報の入力及び記録の流れを示すフロー図である。
【図２３】壁面積の計算及び記録の流れ（前半部）を示すフロー図である。
【図２４】壁面積の計算及び記録の流れ（中段部）を示すフロー図である。
【図２５】壁面積の計算及び記録の流れ（後半部）を示すフロー図である。
【図２６】天井種別情報の入力及び記録の流れを示すフロー図である。
【図２７】天井面積の計算及び記録の流れ（前半部）を示すフロー図である。
【図２８】天井面積の計算及び記録の流れ（後半部）を示すフロー図である。
【図２９】計算書及び集計表作成の流れを示すフロー図である。
【図３０】本発明のシステム構成の一例を処理の流れと共に示す説明図である。
【符号の説明】
【００６０】
１１  属性付き室名符号設定手段
１３  属性付き開口符号設定手段
１５  初期情報記録手段
１７  壁種別情報記録手段
１９  壁面積計算記録手段
２１  天井種別情報記録手段
２３  天井面積計算記録手段
２５  計算書及び集計表作成手段
２７  工事名フォルダ設定手段
２９  画層色設定変更手段
２ａ  工事名フォルダ
２ｂ  計算書と集計表を含むファイル
２ｃ  フロア別集計表ファイル
３ａ  室名
３ｂ  スラブ〜スラブ高
３ｃ  天井高
３ｄ  属性付き室名符号名
３ｅ  符号
３ｆ  補強本数
３ｇ  Ｗ寸法
３ｈ  Ｈ寸法
３ｉ  属性付き開口符号名
４ａ  初期設定ボタン
４ｂ  画層色変更ボタン
４ｃ  画層表示切替ボタン
４ｄ  壁種別ボタン
４ｅ  壁面積ボタン
４ｆ  壁面積編集ボタン
４ｇ  天井種別ボタン
４ｈ  天井面積ボタン
４ｉ  天井面積編集ボタン
７ａ  始点開始ボタン
７ｂ  選択ボタン（開口部の）
７ｃ  選択ボタン（壁種別情報を選択）
７ｄ  壁種別ボタン
１０ａ  選択ボタン
１０ｂ  面積詳細ボタン
１０ｃ  選択ボタン（天井種別情報を選択）
１０ｄ  選択ボタン
１０ｅ  選択ボタン（折上げ天井）
１３ａ  ブラインドボックス
１３ｂ  折上げ天井
１４ａ  集計実行ボタン
１５ａ  壁符号抽出ボタン
１６ａ  （物件別集計の）集計実行ボタン
【図１】
2006172022.tif 000003
【図２】
2006172022.tif 000004
【図３】
2006172022.tif 000005
【図１２】
2006172022.tif 000006
【図１３】
2006172022.tif 000007
【図１７】
2006172022.tif 000008
【図２１】
2006172022.tif 000009
【図２２】
2006172022.tif 000010
【図２３】
2006172022.tif 000011
【図２４】
2006172022.tif 000012
【図２５】
2006172022.tif 000013
【図２６】
2006172022.tif 000014
【図２７】
2006172022.tif 000015
【図２８】
2006172022.tif 000016
【図２９】
2006172022.tif 000017
【図３０】
2006172022.tif 000018
【図４】
2006172022.tif 000019
【図５】
2006172022.tif 000020
【図６】
2006172022.tif 000021
【図７】
2006172022.tif 000022
【図８】
2006172022.tif 000023
【図９】
2006172022.tif 000024
【図１０】
2006172022.tif 000025
【図１１】
2006172022.tif 000026
【図１４】
2006172022.tif 000027
【図１５】
2006172022.tif 000028
【図１６】
2006172022.tif 000029
【図１８】
2006172022.tif 000030
【図１９】
2006172022.tif 000031
【図２０】
2006172022.tif 000032